【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
複数の充電スタンドにおいて、充電器による電動車両の充電サービスを提供する電動車両充電システムであって、
前記各充電スタンドに設けられた、前記充電器の操作盤と、
前記各充電スタンドの前記操作盤とネットワークで接続された管理サーバと、を備え、
前記管理サーバは、
前記充電サービスを利用可能なユーザのユーザＩＤと電子メールアドレスとが登録されたユーザ管理データベースと、
前記充電スタンドごとに、当該充電スタンドの充電器の予約時間とユーザＩＤとを含む予約情報が登録される予約管理データベースと、
前記操作盤または前記ネットワーク上の他の情報端末からリクエストを受け付けるサーバ処理手段と、
前記サーバ処理手段が、前記複数の充電スタンドのいずれかの充電スタンドについて、前記予約管理データベースに登録された予約時間が示す時間帯以外の空き時間帯の予約希望時間を含む予約登録リクエストを受け付けた場合に、当該予約登録リクエストで指定された充電スタンドについて、当該予約登録リクエストに前記希望予約時間として含まれていた予約時間と当該予約登録リクエストの発行ユーザのユーザＩＤとを含む予約情報を前記予約管理データベースに登録する予約処理手段と、
前記充電予約管理データベースに登録された予約情報ごとに、当該予約情報に含まれる前記予約時間の到来前に、当該予約時間の到来を通知する電子メールを、当該予約情報に含まれるユーザＩＤに対応付けて前記ユーザ管理データベースに登録された前記電子メールアドレス宛に送信する予約時間到来通知手段と、を備え、
前記予約処理手段は、
前記サーバ処理手段が、前記複数の充電スタンドのうちのいずれかの充電スタンドについて前記予約管理データベースに登録された予約情報の指定を含む予約キャンセルリクエストを受け付けた場合に、
当該予約キャンセルリクエストにおいて指定された前記予約情報を前記充電予約管理データベースから削除するとともに、
当該削除された予約情報と共通の充電スタンドについて前記充電予約管理データベースに登録された予約情報のうち、前記削除した予約情報の予約時間が示す時間帯以降に到来する予約時間を含む予約情報のユーザＩＤに対応付けられた電子メールアドレスを前記ユーザ管理データベースから読み出し、当該電子メールアドレス宛に、前記削除した予約時間が示す時間帯に空き時間が発生した旨を通知する電子メールを送信する
ことを特徴とする電動車両充電システム。
【請求項２】
請求項１に記載の電動車両充電システムであって、
前記予約処理手段は、
前記サーバ処理手段が、前記充電スタンドの操作盤から、当該充電スタンドにおける最前空き時間予約リクエストを受け付けた場合に、
前記最前空き時間予約リクエストの送信元充電スタンドについて、前記予約管理データベースに登録された予約時間が示す時間帯以外の空き時間帯のうち、最も早く到来する、前記所要充電時間以上の空き時間帯を抽出し、当該充電スタンドについて、当該抽出した空き時間帯の予約時間と当該最前空き時間予約リクエストの発行ユーザのユーザＩＤとを含む新たな予約情報を前記予約管理データベースに登録するとともに、
前記最前空き時間予約リクエストの送信元充電スタンドについて、前記予約管理データベースに、当該最前空き時間予約リクエストの発行ユーザのユーザＩＤを含む他の予約情報が登録されている場合には、当該他の予約情報を前記予約管理データベースから削除し、当該充電スタンドについて、前記充電予約管理データベースに登録された予約情報のうち、当該削除した予約情報の予約時間が示す時間帯以降に到来する予約時間を含む予約情報のユーザＩＤに対応付けられた電子メールアドレスを前記ユーザ管理データベースから読み出し、当該電子メールアドレス宛に、前記削除した予約時間が示す時間帯に空き時間が発生した旨を通知する電子メールを送信する
ことを特徴とする電動車両充電システム。
【請求項３】
請求項１または２に記載の電動車両充電システムであって、
前記予約管理データベースに登録された予約情報には、予約時間の繰上げ希望の有無を表す予約繰上げ希望情報が含まれており、
前記予約処理手段は、
前記削除した予約情報の予約時間が示す時間帯以降に到来する予約時間と、予約時間の繰上げ希望が有ることを示す予約繰上げ希望情報とを含む予約情報のユーザＩＤに対応付けられた電子メールアドレスを前記ユーザ管理データベースから読み出し、当該電子メールアドレス宛に、前記削除した予約時間が示す時間帯に空き時間が発生した旨を通知する電子メールを送信する
ことを特徴とする電動車両充電システム。
【請求項４】
請求項１ないし３のいずれか一項に記載の電動車両充電システムであって、
前記各充電スタンドの前記操作盤は、
前記管理サーバからの問い合わせに応じて前記充電器の稼動状態を報告する稼動状態報告手段と、を備え、
前記管理サーバは、
前記各充電スタンドについて、前記充電器の稼動状態を表す稼動状態情報および位置情報が登録された充電スタンド管理データベースと、
前記各充電スタンドの前記操作盤に前記充電器の稼動状態を問い合わせ、当該問い合わせに対する報告により前記充電スタンド管理データベースの稼動状態情報を更新する稼動状態問合わせ手段と、をさらに備え、
前記予約処理手段は、
前記サーバ処理手段が、所要充電時間を含む稼動充電スタンド検索リクエストを受け付けた場合に、
正常稼働中を表す前記稼動状態情報に対応付けられた位置情報を前記充電スタンド管理データベースから読み出して、当該位置情報が読み出された充電スタンドについて、前記予約管理データベースに登録された予約時間が示す時間帯以外の空き時間帯のうち、前記所要充電時間以上の空き時間帯を抽出し、
前記サーバ処理手段は、
前記予約処理手段が読み出した充電スタンドの位置情報および抽出した空き時間帯を表示するためのドキュメントを、前記稼動充電スタンド検索リクエストの送信元に返信する
ことを特徴とする電動車両充電システム。
【請求項５】
複数の充電スタンドにおいて、充電器による電動車両の充電サービスを提供する充電支援サービス提供方法であって、
前記複数の充電スタンドのそれぞれに設けられた充電器用操作盤を、ネットワークを介して、前記充電サービスを利用可能なユーザのユーザＩＤと電子メールアドレスとが登録されたユーザ管理データベース、および前記充電スタンドごとに、当該充電スタンドの充電器の予約時間とユーザＩＤとを含む予約情報が登録される予約管理データベースを備えた管理サーバに接続し、
前記管理サーバが、
前記充電器用操作盤または前記ネットワーク上の他の情報端末から、前記複数の充電スタンドのいずれかの充電スタンドについて、前記予約管理データベースに登録された予約時間が示す時間帯以外の予約希望時間を含む予約登録リクエストを受け付けた場合に、
当該予約登録リクエストで指定された充電スタンドについて、当該予約登録リクエストに前記希望予約時間として含まれていた予約時間と当該予約登録リクエストの発行ユーザのユーザＩＤとを含む予約情報を前記予約管理データベースに登録し、
前記充電予約管理データベースに登録された予約情報ごとに、当該予約情報に含まれる前記予約時間の到来前に、当該予約時間の到来を通知する電子メールを、当該予約情報に含まれるユーザＩＤに対応付けて前記ユーザ管理データベースに登録された前記電子メールアドレス宛に送信する
ことを特徴とする充電支援サービス提供方法。